(57)【特許請求の範囲】
【請求項１】
ほぼ矩形状をなし４つの各辺部が押し込み操作されるプッシャーと、
このプッシャーの矩形辺部の各角部位４か所とそれらの間の部位４か所とに合計８個配設された弾性押圧子と、
６つのスイッチ部と
を備え、
前記プッシャーの各辺部において両角部の弾性押圧子の間の弾性押圧子を、該両角部の弾性押圧子間の均等距離の部位に設け、
前記スイッチ部を、前記弾性押圧子のうち一対の対角関係にある角部位２つの弾性押圧子とそれぞれ両隣り弾性押圧子とにのみ対応して設け、
前記プッシャーの各辺部が押し込み操作されたとき該当辺部に対応する両角部及びその間の３個の弾性押圧子が均等に押圧され、当該３個の弾性押圧子のうちのスイッチ部に対応する２つの弾性押圧子により該当スイッチ部が動作する構成としたことを特徴とするミラースイッチ装置。
【発明の詳細な説明】
【０００１】
【発明の属する技術分野】
本発明は、６つのスイッチ部を備えたミラースイッチ装置に関する。
【０００２】
【発明が解決しようとする課題】
図８ないし図１１には、従来のミラースイッチ装置１を示している。このミラースイッチ装置１において、操作ノブ２は上下左右の各部を押し込み操作されるものであり、これの裏面側には、ほぼ矩形状をなす板状のプッシャー３（図９の二点鎖線、図１１の実線参照）が設けられている。さらにこのプッシャー３の裏面側にはゴム製の押圧子ユニット４が配設されており、これには６つの弾性押圧子４ａ〜４ｆが一体成形により形成されている。この弾性押圧子４ａ〜４ｆの裏面側には回路基板５が配設されている。そして、各弾性押圧子４ａ〜４ｆに対応してスイッチ部６Ａ〜６Ｆが配置されている。このスイッチ部６Ａ〜６Ｆは同じ構成であり、そのうちの一つ例えばスイッチ部６Ｃについて説明すると、図１０及び図１１に示すように、弾性押圧子４ｃの裏面に設けた可動接点６Ｃａと、回路基板５に設けられた固定接点６Ｃｂ、６Ｃｃとから構成されている。
【０００３】
このスイッチ部６Ｃは、弾性押圧子４ｃが押し下げられると、可動接点６Ｃａが両固定接点６Ｃｂ、６Ｃｃ間を導通（オン）し、弾性押圧子４ｃが復帰すると、可動接点６Ｃａが両固定接点６Ｃｂ、６Ｃｃ間を開離（オフ）する。
【０００４】
さて、前記操作ノブ２の上部が押し込み操作されると、弾性押圧子４ａ、４ｂの二つが押し下げられてスイッチ部６Ａ、６Ｂの双方がオンすることにより、図示しないミラーモータが通電駆動されてミラーが上向きに動作する。同様に、操作ノブ２の右部が押し込み操作されると、弾性押圧子４ｃ、４ｄの二つが押し下げられてスイッチ部６Ｃ、６Ｄの双方がオンし、操作ノブ２の下部が押し込み操作されると、弾性押圧子４ｄ、４ｅの二つが押し下げられてスイッチ部６Ｄ、６Ｅの双方がオンし、操作ノブ２の左部が押し込み操作されると、弾性押圧子４ｆ、４ａの二つが押し下げられてスイッチ部６Ｆ、６Ａの双方がオンする。
【０００５】
しかし、上記構成においては、例えば、プッシャー３の上辺部の図９に符号Ｐｈで示す偏心位置を押し操作したり、あるいは中心位置Ｐ０であってもななめに押し操作したりすると、本来ならば、スイッチ部６Ａ、６Ｂがオンされるところが、スイッチ部６Ｂ、６Ｃがオンしたり、あるいはスイッチ部６Ａ、６Ｂ、６Ｃがオンしたりしてしまうという問題があった。
【０００６】
本発明は上記した事情に鑑みてなされたものであり、その目的は、６つのスイッチ部を備えて、プッシャーの４つの辺部の選択的押し込み操作で２つのスイッチ部をオンさせるようにしたものにおいて、スイッチ部を確実にオン操作できるミラースイッチ装置を提供するにある。
【０００７】
【課題を解決するための手段】
請求項１の発明は、ほぼ矩形状をなし４つの各辺部が押し込み操作されるプッシャーと、
このプッシャーの矩形辺部の各角部位４か所とそれらの間の部位４か所とに合計８個配設された弾性押圧子と、
６つのスイッチ部と
を備え、
前記プッシャーの各辺部において両角部の弾性押圧子の間の弾性押圧子を、該両角部の弾性押圧子間の均等距離の部位に設け、
前記スイッチ部を、前記弾性押圧子のうち一対の対角関係にある角部位２つの弾性押圧子とそれぞれ両隣り弾性押圧子とにのみ対応して設け、
前記プッシャーの各辺部が押し込み操作されたとき該当辺部に対応する両角部及びその間の３個の弾性押圧子が均等に押圧され、当該３個の弾性押圧子のうちのスイッチ部に対応する２つの弾性押圧子により該当スイッチ部が動作する構成としたところに特徴を有する。
【０００８】
この請求項１の発明によれば、プッシャーの一つの辺部に対応して、両角部位の２か所とその間の１か所の合計３つの弾性押圧子が位置することになり、特に、両角部位の２か所に弾性押圧子が存在することで、プッシャーの一つの辺部を若干斜めに押し込み操作したり偏心部位を押し込み操作したりしても、その一つの辺部に対応する両角部位の２か所の弾性押圧子がほぼ均等に押圧され、これに伴ってその間の弾性押圧子も押圧されるようになる。この結果、スイッチ部に対応する２つの弾性押圧子が確実に押圧されて該当するスイッチ部を確実に動作させるようになる。
【０００９】
また、この請求項１の発明によれば、各角部位の間の部位の弾性押圧子を、各角部位の間の均等距離の部位に設け、前記プッシャーの各辺部が押し込み操作されたとき該当辺部に対応する両角部及びその間の３個の弾性押圧子が均等に押圧され、当該３個の弾性押圧子のうちのスイッチ部に対応する２つの弾性押圧子により該当スイッチ部が動作する構成としたから、各辺部に対応する３つの弾性押圧子に対して、より均等に操作力がかかるようになり、スイッチ動作がさらに確実に行なわれるようになる。
【００１０】
【発明の実施の形態】
以下、本発明の一実施例について、図１ないし図７を参照して説明する。まず、図２には、ミラースイッチ装置１３を正面から見て示している。図２及び図３において、スイッチケース１４内には、回路基板１５が配設されていると共に、この回路基板１５に、８個の弾性押圧子１６〜２３を備えた押圧子ユニット２４が配置されている。この押圧子ユニット２４はゴム製であり、従って各弾性押圧子１６〜２３もゴム製である。
【００１１】
そして、この８個の弾性押圧子１６〜２３はドーム型をなしており、そのうちの一つである弾性押圧子２３について説明する。この弾性押圧子２３は、薄肉の立ち上がり部２３ａの頂部に被操作部２３ｂを有し、この被操作部２３ｂは図３の矢印Ａ方向の押圧力を受けて、立ち上がり部２３ａの変形を伴いながら、その方向へ移動し（図６（ｂ）参照）、その押圧力が解除されると、上記立ち上がり部２３ａの弾性復帰力により元位置に復帰する。
【００１２】
この弾性押圧子１６〜２３の被操作部１６ｂ〜２３ｂ側には操作ノブ２５によって押し込み操作されるプッシャー２６が設けられている。このプッシャー２６は、図１に二点鎖線で示すようにほぼ矩形状をなしている。また、操作ノブ２５は前記スイッチケース１４に図３及び図５に示すように、上下左右の各辺部が押し込み操作し得るように設けられており、爪部２５ａにて抜止めが図られている。そして、この操作ノブ２５の４隅の裏面から押圧脚部２５ｂが形成されており、その先端部は前記プッシャー２６に当接している。従って、このプッシャー２６もこの操作ノブ２５の押し込み操作に基づいて上下左右の各辺部が押し込み操作されるものである。なお、このプッシャー２６及び操作ノブ２５は弾性押圧子１６〜２３の弾性復帰に伴って元位置に復帰する。また、操作ノブ２５には、操作ポイントを示すマーク２５ｄ、２５ｅ、２５ｆ、２５ｇが付されている。
【００１３】
ここで、前記弾性押圧子１６〜２３は、プッシャー２６の矩形辺部の各角部位４か所（弾性押圧子１６、１８、２０、２２）とそれらの間の部位４か所（弾性押圧子１７、１９、２１、２３）とに合計８個配設された形態をなしている。
【００１４】
６つのスイッチ部２７〜３２は、弾性押圧子１６〜２３のうち一対の対角関係にある角部位２つの弾性押圧子１６、２０とそれぞれ両隣り弾性押圧子１７、２３、１９、２１とにのみ対応して設けらている。このスイッチ部２７〜３２は同じ構成であるので、スイッチ部３２を代表して述べる。
【００１５】
スイッチ部３２は、弾性押圧子２３の被操作子２３ｂの裏面に取着された可動接点板３２ａと、これと対向して前記回路基板１５に形成された固定接点部３２ｂ、３２ｃとか構成されている。そして、可動接点板３２ａが両固定接点３２ｂ、３２ｃ間を導通してスイッチ部３２オンとなる。
【００１６】
ここで、他の一対の対角関係にある弾性押圧子１８、２２の被操作部１８ｂ、２２ｂの裏面にも可動接点板１８ｃ、２２ｃ（図４参照）が設けられているが、これらに対向する固定接点は形成されておらず、実質、スイッチ部は設けられていない。なお、弾性押圧子１８、２２にも他の弾性押圧子１６、１７、１９、２０、２１、２３と同様に可動接点板１８ｃ、２２ｃ（図４参照）を設けた理由は、弾性押圧子の全部を同じ構成とすることで製作の容易化を図っている。ただし、この可動接点板１８ｃ、２２ｃは設けなくても良い。
【００１７】
この場合、各角部位の間の部位の弾性押圧子１７、１９、２１、２３を、各角部位の間の均等距離の部位（例えば弾性押圧子１７は弾性押圧子１６、１８の離間距離の１／２の部位）に設ける構成としている。
【００１８】
上記構成において、ユーザーが、操作ノブ２５の左部のマーク２５ｇ部分を押し操作すると、プッシャー２６の左辺部が図６（ｂ）のように変位する。これにより、図７に示すように、プッシャー２６の左辺部が弾性押圧子１６、２３、２２を変形させる。
【００１９】
この場合、本実施例によれば、プッシャー２６の左辺部に対応して、特に、両角部位の２か所に弾性押圧子１６、２２が存在することで、この左辺部を若干斜めに押し込み操作したり偏心部位を押し込み操作したりしても、その左辺部に対応する両角部位の２か所の弾性押圧子１６、２２がほぼ均等に押圧され、これに伴ってその間の弾性押圧子２３も押圧されるようになる。この結果、スイッチ部２７、３２に対応する２つの弾性押圧子１６、２３が確実に押圧されて該当するスイッチ部２７、３２を確実に動作させる。
【００２０】
特に本実施例によれば、プッシャー２６の左辺部に対応する弾性押圧子１６、２３、２２のうち角部位の間の部位の弾性押圧子２３を、各角部位の間の均等距離の部位に設ける構成としているから、３つの弾性押圧子１６、２３、２２に対して、より均等に操作力がかかるようになり、スイッチ動作がさらに確実に行なわれるようになる。
なお、プッシャー２６の上辺部、下辺部、右辺部が押し込み操作された場合も同様の作用効果が得られる。
【００２１】
本発明は、上述した実施例に限定されることはなく、例えば、スイッチ部２７〜３２は、タクトスイッチ等の他のスイッチから構成しても良い。
【００２２】
【発明の効果】
本発明は、以上の説明から明らかなように、６つのスイッチ部を備えて、プッシャーの４つの辺部の選択的押し込み操作で２つのスイッチ部をオンさせるようにしたものにおいて、スイッチ部を確実にオン操作できるという優れた効果を得ることができる。
【図面の簡単な説明】
【図１】本発明の一実施例を示す押圧子ユニットの平面図
【図２】ミラースイッチ装置の正面図
【図３】同縦断側面図
【図４】固定接点の配置を示す正面図
【図５】操作ノブを透過してして示す正面図
【図６】（ａ）スイッチ部部分の全オフ状態を示す図、（ｂ）は一部スイッチ部がオン状態にある様子を示す図
【図７】図６（ｂ）の矢印Ｓ−Ｓ線に沿う断面図
【図８】従来例を示す図２相当図
【図９】図１相当図
【図１０】図４相当図
【図１１】図３相当図
【符号の説明】
１３はミラースイッチ装置、１４はスイッチケース、１６〜２３は弾性押圧子、２４は押圧子ユニット、２５は操作ノブ、２６はプッシャー、２７〜３２はスイッチ部を示す。
【図１】
0003939962.tif 000002
【図２】
0003939962.tif 000003
【図３】
0003939962.tif 000004
【図４】
0003939962.tif 000005
【図５】
0003939962.tif 000006
【図６】
0003939962.tif 000007
【図７】
0003939962.tif 000008
【図８】
0003939962.tif 000009
【図９】
0003939962.tif 000010
【図１０】
0003939962.tif 000011
【図１１】
0003939962.tif 000012